(57)【要約】【課題】排気中のアレルゲン性物質の少ない電気掃除機を提供すること。【解決手段】塵埃を含む空気を吸引するファンモーター（吸引手段）８と、前記塵埃を集塵する集塵室９と、除塵フィルター１０とを備え、少なくとも前記集塵室９の内壁表面に、アレルゲン性物質を不活性化する不活化材を有する構成とした。これにより、集塵室９の内壁表面でアレルゲン性物質を不活性化でき、簡単かつ効率的にアレルゲンの不活化をおこない、排気中のアレルゲン量を低減できる衛生的な電気掃除機を提供することができるようになる。【選択図】図１
2005198935.tif 000002
【特許請求の範囲】
【請求項１】
塵埃を含む空気を吸引する吸引手段と、前記塵埃を集塵する集塵室と、前記吸引手段と集塵室との間に設けられ、空気と塵埃を分離する除塵フィルターとを備え、少なくとも前記集塵室の内壁表面に、アレルゲン性物質を不活性化する不活化材を有した電気掃除機。
【請求項２】
アレルゲン性物質を不活性化する不活化材を、タンパク分解酵素とした請求項１に記載の電気掃除機。
【請求項３】
アレルゲン性物質を不活性化する不活化材を、タンパク分解酵素およびタンパク変性材とした請求項１に記載の電気掃除機。
【請求項４】
アレルゲン性物質を不活性化する不活化材を、金属フタロシアニン化合物とした請求項１に記載の電気掃除機。
【請求項５】
アレルゲン性物質を不活性化する不活化材を、金属フタロシアニン化合物およびタンパク変性材とした請求項１に記載の電気掃除機。
【発明の詳細な説明】
【技術分野】
【０００１】
本発明は、家庭用の電気掃除機に関するもの、特に塵埃中に含まれるアレルゲン性物質の不活性化機能を有する電気掃除機に関するものである。
【背景技術】
【０００２】
ダニやカビが家屋に生存するということは古くから知られている。しかし、近年、これらの生物粒子がアレルギー性疾患の原因となっていることが示唆されている。そして、これらの生物粒子およびダニの糞に対してアレルゲン性を失活させる掃除機が提案されている（例えば、特許文献１参照）。
【０００３】
図３は、特許文献１に記載された従来の電気掃除機の構成図である。図３において、床、絨毯などのアレルゲン性物質（以下、アレルゲンとする）を含んだ塵埃を含む空気は、送風機１のはたらきで吸気口２から集塵フィルター３にはいる。そして、塵埃４がイオン発生器５の横を通過するときにイオン発生器５から発生したプラスイオンおよびマイナスイオンのはたらきにより不活性化されるというものであった。
【特許文献１】特開２００３−１５３８３１号公報
【発明の開示】
【発明が解決しようとする課題】
【０００４】
上記従来の電気掃除機においては、通過する塵埃を直接不活性化させるというものであり、吸引したゴミの量、大きさなどの変化がある場合には充分な処理性能が得られない場合があるという課題を有していた。
【０００５】
本発明は上記の課題を解決するもので、簡単かつ効率的にアレルゲンの不活化をおこない、排気中のアレルゲン量を低減できる電気掃除機を提供することを目的とする。
【課題を解決するための手段】
【０００６】
上記課題を解決するために本発明は、塵埃を含む空気を吸引する吸引手段と、前記塵埃を集塵する集塵室と、前記吸引手段と集塵室との間に設けられ、空気と塵埃を分離する除塵フィルターとを備え、少なくとも前記集塵室の内壁に、アレルゲン性物質を不活性化する不活化材を有する構成としている。
【０００７】
これにより、吸引手段によって集塵室に吸引された塵埃に含まれるアレルゲン性物質が、簡単かつ効率的に不活化され、排気中のアレルゲン量を低減できる電気掃除機を提供できる。
【発明の効果】
【０００８】
本発明の電気掃除機は、簡単かつ効率的にアレルゲンの不活化をおこない、排気中のアレルゲン量を低減する、衛生的な電気掃除機を提供することができる。
【発明を実施するための最良の形態】
【０００９】
第１の発明は、塵埃を含む空気を吸引する吸引手段と、前記塵埃を集塵する集塵室と、前記吸引手段と集塵室との間に設けられ、空気と塵埃を分離する除塵フィルターとを備え、少なくとも前記集塵室の内壁に、アレルゲン性物質を不活性化する不活化材を有する構成とした。
【００１０】
この構成により、吸引手段によって集塵室に吸引された塵埃に含まれるアレルゲン性物質が、簡単かつ効率的に不活化され、排気中のアレルゲン量を低減できる電気掃除機を提供できる。
【００１１】
第２の発明は、第１の発明に記載のアレルゲン性物質を不活性化する不活化材を、タンパク分解酵素とした。これにより、第１の発明に記載の効果に加えて、タンパク分解酵素により、簡単かつ効率的にアレルゲンの不活化をおこなって、排気中のアレルゲン量を低減できるようになる。
【００１２】
第３の発明は、第１の発明に記載のアレルゲン性物質を不活性化する不活化材を、タンパク分解酵素およびタンパク変性材とした。これにより、第１の発明に記載の効果に加えて、アレルゲンはタンパク変性材によりその立体構造が壊されタンパク分解酵素が反応しやすくなる。よって、タンパク分解酵素のアレルゲンの分解能力を向上することができ、アレルゲン不活化性能を向上することができる。
【００１３】
第４の発明は、第１の発明に記載のアレルゲン性物質を不活性化する不活化材を、金属フタロシアニン化合物とした。これにより、第１の発明に記載の効果に加えて、金属フタロシアニン化合物により、簡単かつ効率的にアレルゲンの不活化をおこなって、排気中のアレルゲン量を低減できるようになる。
【００１４】
第５の発明は、第１の発明に記載のアレルゲン性物質を不活性化する不活化材を、金属フタロシアニン化合物およびタンパク変性材とした。これにより、第１の発明に記載の効果に加えて、アレルゲンはタンパク変性材によりその立体構造が壊され金属フタロシアニン化合物が反応しやすくなる。よって、金属フタロシアニン化合物のアレルゲンの分解能力を向上することができ、アレルゲン不活化性能を向上することができる。
【００１５】
以下、本発明の実施の形態について、図面を参照しながら説明する。なお、本実施の形態によって本発明が限定されるものではない。
【００１６】
（実施の形態１）
図１は本発明の第１の実施の形態における電気掃除機の構成を示すものである。本実施の形態においては、本体内に集めた塵埃を貯める集塵フィルターを有する構成の電気掃除機について説明する。
【００１７】
図１において、電気掃除機の本体６は、塵埃を含む空気の入り口となる吸引路７と、吸引手段であるファンモーター８と、前記ファンモーター８により本体６内に吸引した塵埃を集塵する集塵室９と、前記ファンモーター８と集塵室９との間に設けられ、空気と塵埃を分離する除塵フィルター１０が備えられている。また、ファンモーター８の下流側には、本体６からの排気中からさらに微細な塵埃を除去する排気フィルター１１を備えている。また、本体６は本体下側に設置した車輪１２で移動可能であり、本体６への通電は、コード１３から給電することで可能である。
【００１８】
集塵室９の部分断面図を図２に示した。集塵室９の内壁１４の表面には、アレルゲン性物質と反応して不活性化する不活化材であるタンパク分解酵素１５を含有した不織布１６が備えられている。そして、ダニ等のアレルゲン１７が存在すると、不織布１６に含有したタンパク分解酵素１５と反応する。アレルゲンはたんぱく質であり、このタンパク分解酵素１５により分解され、タンパク質の構造が変わる。この作用により、ダニ等のアレルゲンは抗原性を失い、仮に人体等に接触した場合でもアレルギー反応を起こさなくなる。この状態を不活化状態と呼んでいる。
【００１９】
また、不織布１６にタンパク変性材１８（尿素など）を含有させている。このタンパク変性材１８はタンパク分解酵素１５と同じ不織布１６に含有させており、不織布１６に到達したアレルゲン１７はその働きにより、変性し、立体構造が壊れる。立体構造が壊れることにより、タンパク分解酵素１５はアレルゲン１７を分解しやすくなるので、不織布１６でのアレルゲン１７の分解性能を向上することができる。
【００２０】
なお、タンパク変性材１８としては、尿素以外の酸、アルカリでもよい。さらに、排気の熱が利用可能であれば熱による変性も利用することでも同様の効果を得ることができる。
【００２１】
さらに、アレルゲン１７が不織布１６の側面を通過するときに不織布１６とアレルゲン１７との間で発生する摩擦により静電気を帯びる。このことによりアレルゲン１７同士または漏れでた微細な粉塵とが凝集する。このとき、不織布１６の側面を通過した微小なアレルゲンも大きい塊になり下流側の不活化材と接触しやすくなるので、アレルゲンの不活性化性能が向上する。
【００２２】
なお、本実施の形態では集塵室９に不活化材であるタンパク分解酵素１５とタンパク変性材１８の両者を含有する不織布１６を配置した構成としたが、除塵フィルター１０あるいは排気フィルター１１を同様の構成にしても良い。さらに、本実施の形態のようにフィルターを複数配置していることで、下流側に漏れ出るアレルゲン量がより少なくなるので、アレルゲンの不活化性能を長期間維持することができる。そして、アレルゲンが通過するフィルターが多いほどアレルゲンとフィルターの摩擦により発生する静電気量が大きくなるので、アレルゲンの除去および不活化も容易となる。
【００２３】
また、最も下流側のフィルター、本実施の形態では排気の出口に位置する排気フィルター１１に不活化材であるタンパク分解酵素１５を含有させて使用することでアレルゲン不活化性能を最も長期間維持することができ、効果的なアレルゲンの不活化を図ることができる。この場合においても、フィルターの下流側の面にタンパク分解酵素１５を有する層を設けることで、アレルゲン不活化の寿命を延ばすことができる。同様に、タンパク変性材１８もタンパク分解酵素と同様の配置にすることで、アレルゲン分解性能を向上させることができる。
【００２４】
なお、掃除機の排気は温度が高くなるので、通常のタンパク分解酵素よりも耐熱性が高いものが好ましい。具体的には耐熱性（または好熱性）の細菌由来のタンパク分解酵素がよく、例えば耐熱性菌由来の酵素が良い。具体的には、Ｐｙｒｏｃｏｃｃｕｓ属のｆｕｒｉｏｓｕｓ等、古細菌由来のタンパク分解酵素などが良い。
【００２５】
また、フィルターを複数設け、複数の分離フィルターのうち少なくとも一つにアレルゲンの不活化が可能な不活化材を添着処理することにより、不活化材で処理しきれなかったアレルゲンも他のフィルターで除去可能なので、排気中のアレルゲンを効率的に減少することができる。
【００２６】
尚、本実施の形態では、フィルターとして、除塵フィルター１０、排気フィルター１１を有する構成としたが、これ以外のフィルターであっても支障がないものである。
【００２７】
また本実施の形態の構成をとる場合には、特に空気中の塵埃が少ない条件すなわち、排気フィルター１１などに用いることが最も有効である。
【００２８】
また本実施の形態の中で、アレルゲン性物質を不活性化する不活化材を、タンパク分解酵素としたが、これに限定されるものではなく、例えば、金属フタロシアニン化合物であっても同様の効果が得られ、支障がないものである。
【００２９】
尚、金属フタロシアニン化合物は耐熱性が高く、排気部分のフィルター（分離フィルター）への装着に適している。また、この金属フタロシアニン化合物は、抗菌性を有しているので、分離フィルターへのカビなどのアレルゲンとなる微生物の繁殖を抑制することができる。さらに、脱臭性能を有しているので、排気の衛生性を向上することができる。また、タンパク変性材による劣化も少ないので、タンパク変性材の使用によりアレルゲン分解性能を向上させることができる。
【００３０】
金属フタロシアニン化合物の具体例としてはポルフィリン骨格に銅を備えたものの他、例えば、鉄、アルミニウム、チタンまたはチタン化合物、コバルト、スズを備えたものでもよい。
【産業上の利用可能性】
【００３１】
以上のように、本発明にかかる電気掃除機は排気中からアレルゲンを除去可能なので、業務用の掃除機の他、エアコン、空気清浄機の用途にも応用可能である。
【図面の簡単な説明】
【００３２】
【図１】本発明の実施の形態１における電気掃除機の構成図
【図２】同実施の形態１における分離フィルターの断面図
【図３】従来の電気掃除機の構成図
【符号の説明】
【００３３】
８  ファンモーター（吸引手段）
９  集塵室
１０  除塵フィルター
１１  排気フィルター
１４  集塵室の内壁
１５  タンパク分解酵素
１６  不織布
１７  アレルゲン
１８  タンパク変性材
【図１】
2005198935.tif 000003
【図２】
2005198935.tif 000004
【図３】
2005198935.tif 000005